(57)【要約】【課題】表示装置に適切な映像を容易に出力させることができる再生装置などを提供する。【解決手段】ＨＤＭＩ（登録商標）によりＴＶ２００と接続されているＢｌｕ−ｒａｙ（登録商標）機器１００であって、（ｉ）輝度のダイナミックレンジが標準ダイナミックレンジ（ＳＤＲ）よりも広い高ダイナミックレンジ（ＨＤＲ）の映像を、ＴＶ２００が表示可能か否かを示す識別情報をＣＥＡ  Ｄａｔａ  Ｂｌｏｃｋに含むＥＤＩＤを、ＨＤＭＩ（登録商標）を介してＴＶ２００から取得し、（ｉｉ）取得したＥＤＩＤに含まれる識別情報に応じて、出力する映像信号のダイナミックレンジを決定し、（ｉｉｉ）決定したダイナミックレンジに応じたメタデータを含むＩｎｆｏＦｒａｍｅを、ＨＤＭＩ（登録商標）を介してＴＶ２００に送信する、処理部を備える。【選択図】図３
2017220690.tif 000002
【特許請求の範囲】
【請求項１】
ＨＤＭＩ（登録商標）により表示装置と接続されている再生装置であって、
（ｉ）輝度のダイナミックレンジが標準ダイナミックレンジ（ＳＤＲ）よりも広い高ダイナミックレンジ（ＨＤＲ）の映像を、前記表示装置が表示可能か否かを示す識別情報をＣＥＡ  Ｄａｔａ  Ｂｌｏｃｋに含むＥＤＩＤを、前記ＨＤＭＩを介して前記表示装置から取得し、
（ｉｉ）取得したＥＤＩＤに含まれる前記識別情報に応じて、出力する映像信号のダイナミックレンジを決定し、
（ｉｉｉ）決定したダイナミックレンジに応じたメタデータを含むＩｎｆｏＦｒａｍｅを、前記ＨＤＭＩを介して前記表示装置に送信する、処理部を備える
再生装置。
【請求項２】
前記ＩｎｆｏＦｒａｍｅは、静的なメタデータが格納されているかを示す識別情報を格納し、前記識別情報により前記静的なメタデータが格納されることが示される場合に、前記静的なメタデータをさらに格納する
請求項１に記載の再生装置。
【請求項３】
ＨＤＭＩ（登録商標）により再生装置と接続されている表示装置であって、
（ｉ）輝度のダイナミックレンジが標準ダイナミックレンジ（ＳＤＲ）よりも広い高ダイナミックレンジ（ＨＤＲ）の映像を、前記表示装置が表示可能か否かを示す識別情報をＣＥＡ  Ｄａｔａ  Ｂｌｏｃｋに含むＥＤＩＤを、前記ＨＤＭＩ（登録商標）を介して前記再生装置に送信し、
（ｉｉ）送信したＥＤＩＤに含まれる前記識別情報に応じて決定された、出力する映像信号のダイナミックレンジに応じたメタデータを含むＩｎｆｏＦｒａｍｅを、前記ＨＤＭＩ（登録商標）を介して前記再生装置から取得する、処理部を備える
表示装置。
【請求項４】
ＨＤＭＩ（登録商標）により互いに接続されている再生装置および表示装置の間で行われる伝送方法であって、
輝度のダイナミックレンジが標準ダイナミックレンジ（ＳＤＲ）よりも広い高ダイナミックレンジ（ＨＤＲ）の映像を、前記表示装置が表示可能か否かを示す識別情報をＣＥＡ  Ｄａｔａ  Ｂｌｏｃｋに含むＥＤＩＤを、前記ＨＤＭＩ（登録商標）を介して前記表示装置から取得し、
取得したＥＤＩＤに含まれる前記識別情報に応じて、出力する映像信号のダイナミックレンジを決定し、
決定したダイナミックレンジに応じたメタデータを含むＩｎｆｏＦｒａｍｅを、前記ＨＤＭＩ（登録商標）を介して前記表示装置に送信する
伝送方法。
【発明の詳細な説明】
【技術分野】
【０００１】
本開示は、再生装置、表示装置および伝送方法に関する。
【背景技術】
【０００２】
従来、表示可能な輝度レベルを改善するための画像信号処理装置が開示されている（例えば特許文献１参照）。
【先行技術文献】
【特許文献】
【０００３】
【特許文献１】特開２００８−１６７４１８号公報
【発明の概要】
【発明が解決しようとする課題】
【０００４】
ところで、表示装置が接続される再生装置は、接続される表示装置において適切に映像が表示されるように映像信号を出力する必要がある。
【０００５】
本開示は、表示装置に適切な映像を容易に出力させることができる再生装置などを提供する。
【課題を解決するための手段】
【０００６】
上記目的を達成するために、本発明の一態様に係る再生装置は、ＨＤＭＩ（登録商標）により表示装置と接続されている再生装置であって、（ｉ）輝度のダイナミックレンジが標準ダイナミックレンジ（ＳＤＲ）よりも広い高ダイナミックレンジ（ＨＤＲ）の映像を、前記表示装置が表示可能か否かを示す識別情報をＣＥＡ  Ｄａｔａ  Ｂｌｏｃｋに含むＥＤＩＤを、前記ＨＤＭＩ（登録商標）を介して前記表示装置から取得し、（ｉｉ）取得したＥＤＩＤに含まれる前記識別情報に応じて、出力する映像信号のダイナミックレンジを決定し、（ｉｉｉ）決定したダイナミックレンジに応じたメタデータを含むＩｎｆｏＦｒａｍｅを、前記ＨＤＭＩ（登録商標）を介して前記表示装置に送信する、処理部を備える。
【０００７】
また、本発明の一態様に係る表示装置は、ＨＤＭＩ（登録商標）により再生装置と接続されている表示装置であって、（ｉ）輝度のダイナミックレンジが標準ダイナミックレンジ（ＳＤＲ）よりも広い高ダイナミックレンジ（ＨＤＲ）の映像を、前記表示装置が表示可能か否かを示す識別情報をＣＥＡ  Ｄａｔａ  Ｂｌｏｃｋに含むＥＤＩＤを、前記ＨＤＭＩ（登録商標）を介して前記再生装置に送信し、（ｉｉ）送信したＥＤＩＤに含まれる前記識別情報に応じて決定された、出力する映像信号のダイナミックレンジに応じたメタデータを含むＩｎｆｏＦｒａｍｅを、前記ＨＤＭＩ（登録商標）を介して前記再生装置から取得する、処理部を備える。
【０００８】
なお、これらの全般包括的または具体的な態様は、伝送方法、システム、集積回路、コンピュータプログラムまたはコンピュータ読み取り可能なＣＤ−ＲＯＭなどの記録媒体で実現されてもよく、伝送方法、システム、集積回路、コンピュータプログラムまたは記録媒体の任意な組み合わせで実現されてもよい。
【発明の効果】
【０００９】
上記態様によれば、表示装置に適切な映像を容易に出力させることができる。
【図面の簡単な説明】
【００１０】
【図１】映像技術の進化について説明するための図である。
【図２】ＳＤＲとＨＤＲのホームエンターテイメント用マスターを制作するフローと、配信媒体及び表示装置の関係を示す図である。
【図３】ＨＤＭＩ（登録商標）上でのＥＤＩＤ（ＥＸＴＥＮＤＥＤ  ＤＩＳＰＬＡＹ  ＩＤＥＮＴＩＦＩＣＡＴＩＯＮ  ＤＡＴＡ）とＩｎｆｏＦｒａｍｅとの関係について説明するための図である。
【図４】ＥＤＩＤにおいて格納されているＨＤＲ関連のメタデータの一例について説明するための図である。
【図５】ＩｎｆｏＦｒａｍｅにおいて格納されているＨＤＲ関連のメタデータの一例について説明するための図である。
【図６】ＩｎｆｏＦｒａｍｅの具体的な構造の一例を示す図である。
【図７】静的メタデータの使用例について説明するための図である。
【図８】Ｂｌｕ−ｒａｙ（登録商標）機器が行う処理の概要を説明するための図である。
【図９】再生装置から表示装置への映像信号の新しい伝送方法について説明するための図である。
【図１０】複数のＥＯＴＦを選択可能なＨＤＲシステムの構成を示す図である。
【図１１】Ｂｌｕ−ｒａｙ（登録商標）機器が行う処理の概要の他の一例を説明するための図である。
【図１２】ハイブリッド型ストリームがＢｌｕ−ｒａｙ（登録商標）  Ｄｉｓｃにさらに記録されている場合の、再生装置から表示装置への映像信号の新しい伝送方法について説明するための図である。
【図１３】ハイブリッド型のＯＥＴＦおよびハイブリッド型のＥＯＴＦの概要について説明するための図である。
【図１４】各ＯＥＴＦについて比較するための図である。
【図１５】図１４の暗部領域（低輝度領域）を拡大した図である。
【図１６Ａ】ＰＱのＯＥＴＦを用いて輝度値が量子化されたＨＤＲストリームをＨＤＲＴＶおよびＳＤＲＴＶに送信／配信する場合を説明するための図である。
【図１６Ｂ】ハイブリッド型のＯＥＴＦを用いて輝度値が量子化されたＨＤＲストリームをＨＤＲＴＶおよびＳＤＲＴＶに送信／配信する場合を説明するための図である。
【図１７】ＳＤＲＴＶへの出力を許可するフラグに応じた処理について説明するための図である。
【図１８】ハイブリッド型ストリームがＢｌｕ−ｒａｙ（登録商標）  Ｄｉｓｃにさらに記録されている場合であって、静的メタデータにＳＤＲＴＶ出力許可フラグが含まれている場合の、再生装置から表示装置への映像信号の新しい伝送方法について説明するための図である。
【図１９】図９で示したケース１〜３の場合において、ＨＤＲストリームが含まれるＢｌｕ−ｒａｙ（登録商標）  Ｄｉｓｃに警告メッセージが含まれる場合の伝送方法について説明するための図である。
【発明を実施するための形態】
【００１１】
（本開示の基礎となった知見）
本発明者は、「背景技術」の欄において記載した、画像信号処理装置に関し、以下の問題が生じることを見出した。
【００１２】
映像ストリームを再生（復号）することにより得られた再生信号をＢｌｕ−ｒａｙ（登録商標）機器からＴＶなどの表示装置に伝送する際に、従来、ＨＤＭＩ（登録商標）によって伝送が行われている。しかしながら、再生装置から出力される再生信号は、ＨＤＲ（Ｈｉｇｈ  Ｄｙｎａｍｉｃ  Ｒａｎｇｅ）に対応した映像ストリーム（以下、「ＨＤＲストリーム」という。）やＳＤＲ（Ｓｔａｎｄａｒｄ  Ｄｙｎａｍｉｃ  Ｒａｎｇｅ）に対応した映像ストリーム（以下、「ＳＤＲストリーム」という。）などの複数種類のストリームが出力される可能性がある（後述図１を用いた説明を参照）。このため、このような再生信号を、ＨＤＭＩ（登録商標）を用いて伝送する際に、複数種類のメタデータを格納する仕組みを実現する必要があるが、このような複数種類のメタデータを格納する仕組みについては従来考慮されていなかった。
【００１３】
つまり、本発明者は、上記課題を解決するために、下記の改善策を検討した。
【００１４】
本開示の一態様に係る再生装置は、ＨＤＭＩ（登録商標）により表示装置と接続されている再生装置であって、（ｉ）輝度のダイナミックレンジが標準ダイナミックレンジ（ＳＤＲ）よりも広い高ダイナミックレンジ（ＨＤＲ）の映像を、前記表示装置が表示可能か否かを示す識別情報をＣＥＡ  Ｄａｔａ  Ｂｌｏｃｋに含むＥＤＩＤを、前記ＨＤＭＩ（登録商標）を介して前記表示装置から取得し、（ｉｉ）取得したＥＤＩＤに含まれる前記識別情報に応じて、出力する映像信号のダイナミックレンジを決定し、（ｉｉｉ）決定したダイナミックレンジに応じたメタデータを含むＩｎｆｏＦｒａｍｅを、前記ＨＤＭＩ（登録商標）を介して前記表示装置に送信する、処理部を備える。
【００１５】
これによれば、複数種類のメタデータをＨＤＭＩ（登録商標）伝送に互換性のある格納方法で格納して表示装置に出力できる。このため、表示装置に適切な映像を容易に出力させることができる。
【００１６】
また、例えば、前記ＩｎｆｏＦｒａｍｅは、静的なメタデータが格納されているかを示す識別情報を格納し、前記識別情報により前記静的なメタデータが格納されることが示される場合に、前記静的なメタデータをさらに格納してもよい。
【００１７】
また、本開示の一態様に係る表示装置は、ＨＤＭＩ（登録商標）により再生装置と接続されている表示装置であって、（ｉ）輝度のダイナミックレンジが標準ダイナミックレンジ（ＳＤＲ）よりも広い高ダイナミックレンジ（ＨＤＲ）の映像を、前記表示装置が表示可能か否かを示す識別情報をＣＥＡ  Ｄａｔａ  Ｂｌｏｃｋに含むＥＤＩＤを、前記ＨＤＭＩ（登録商標）を介して前記再生装置に送信し、（ｉｉ）送信したＥＤＩＤに含まれる前記識別情報に応じて決定された、出力する映像信号のダイナミックレンジに応じたメタデータを含むＩｎｆｏＦｒａｍｅを、前記ＨＤＭＩ（登録商標）を介して前記再生装置から取得する、処理部を備える。
【００１８】
また、本開示の一態様に係る伝送方法は、ＨＤＭＩ（登録商標）により互いに接続されている再生装置および表示装置の間で行われる伝送方法であって、輝度のダイナミックレンジが標準ダイナミックレンジ（ＳＤＲ）よりも広い高ダイナミックレンジ（ＨＤＲ）の映像を、前記表示装置が表示可能か否かを示す識別情報をＣＥＡ  Ｄａｔａ  Ｂｌｏｃｋに含むＥＤＩＤを、前記ＨＤＭＩ（登録商標）を介して前記表示装置から取得し、取得したＥＤＩＤに含まれる前記識別情報に応じて、出力する映像信号のダイナミックレンジを決定し、決定したダイナミックレンジに応じたメタデータを含むＩｎｆｏＦｒａｍｅを、前記ＨＤＭＩ（登録商標）を介して前記表示装置に送信する。
【００１９】
なお、これらの全般包括的または具体的な態様は、装置、システム、集積回路、コンピュータプログラムまたはコンピュータ読み取り可能なＣＤ−ＲＯＭなどの記録媒体で実現されてもよく、装置、システム、集積回路、コンピュータプログラムまたは記録媒体の任意な組み合わせで実現されてもよい。
【００２０】
なお、以下で説明する実施の形態は、いずれも本発明の一具体例を示すものである。以下の実施の形態で示される数値、形状、材料、構成要素、構成要素の配置位置及び接続形態、ステップ、ステップの順序などは、一例であり、本発明を限定する主旨ではない。また、以下の実施の形態における構成要素のうち、最上位概念を示す独立請求項に記載されていない構成要素については、任意の構成要素として説明される。
【００２１】
（実施の形態１）
［背景］
まず、映像技術の変遷について、図１を用いて説明する。図１は、映像技術の進化について説明するための図である。
【００２２】
これまで、映像の高画質化としては、表示画素数の拡大に主眼がおかれ、Ｓｔａｎｄａｒｄ  Ｄｅｆｉｎｉｔｉｏｎ（ＳＤ）の７２０×４８０画素の映像から、Ｈｉｇｈ  Ｄｅｆｉｎｉｔｉｏｎ（ＨＤ）の１９２０×１０８０画素の、所謂２Ｋ映像が普及している。
【００２３】
近年、映像の更なる高画質化を目指して、Ｕｌｔｒａ  Ｈｉｇｈ  Ｄｅｆｉｎｉｔｉｏｎ（ＵＨＤ）の３８４０×１９２０画素、あるいは、４Ｋの４０９６×１９２０画素の、所謂４Ｋ映像の導入が開始された。
【００２４】
そして、４Ｋの導入による映像の高解像度化を行うと共に、ダイナミックレンジ拡張や色域の拡大、あるいは、フレームレートの追加、向上などを行うことで映像を高画質化することが検討されている。
【００２５】
その中でも、ダイナミックレンジについては、従来の映像における暗部階調を維持しつつ、現行のＴＶ信号では表現不能な鏡面反射光などの明るい光を、より現実に近い明るさで表現するために最大輝度値を拡大した輝度範囲に対応させた方式として、ＨＤＲ（Ｈｉｇｈ  Ｄｙｎａｍｉｃ  Ｒａｎｇｅ）が注目されている。具体的には、これまでのＴＶ信号が対応している輝度範囲の方式は、ＳＤＲ（Ｓｔａｎｄａｒｄ  Ｄｙｎａｍｉｃ  Ｒａｎｇｅ）と呼ばれ、最大輝度値が１００ｎｉｔであったのに対して、ＨＤＲでは１０００ｎｉｔ以上まで最大輝度値を拡大することが想定されている。ＨＤＲは、ＳＭＰＴＥ（Ｓｏｃｉｅｔｙ  ｏｆ  Ｍｏｔｉｏｎ  Ｐｉｃｔｕｒｅ  ＆  Ｔｅｌｅｖｉｓｉｏｎ  Ｅｎｇｉｎｅｅｒｓ）やＩＴＵ−Ｒ（Ｉｎｔｅｒｎａｔｉｏｎａｌ  Ｔｅｌｅｃｏｍｍｕｎｉｃａｔｉｏｎｓ  Ｕｎｉｏｎ  Ｒａｄｉｏｃｏｍｍｕｎｉｃａｔｉｏｎｓ  Ｓｅｃｔｏｒ）などにおいて、標準化が進行中である。
【００２６】
ＨＤＲの具体的な適用先としては、ＨＤやＵＨＤと同様に、放送やパッケージメディア（Ｂｌｕ−ｒａｙ（登録商標）  Ｄｉｓｃ等）、インターネット配信などで使われることが想定されている。
【００２７】
なお、以下では、ＨＤＲに対応した映像において、当該映像の輝度は、ＨＤＲの輝度範囲の輝度値からなり、当該映像の輝度値が量子化されることで得られた輝度信号をＨＤＲ信号と呼ぶ。ＳＤＲに対応した映像において、当該映像の輝度は、ＳＤＲの輝度範囲の輝度値からなり、当該映像の輝度値が量子化されることで得られた輝度信号をＳＤＲ信号と呼ぶ。
【００２８】
［ＨＤＲ導入時のマスター、配信方式、および表示装置の関係］
図２は、ＳＤＲとＨＤＲのホームエンターテイメント用マスターを制作するフローと、配信媒体及び表示装置の関係を示す図である。
【００２９】
ＨＤＲのコンセプトは提案されており、ＨＤＲのコンセプトレベルでの有効性は確認されている。また、ＨＤＲの最初の実施方法が提案されている。ただし、この方法を使ってＨＤＲコンテンツが大量に作られ、最初の実施方法の実証が行われたわけではない。このため、今後ＨＤＲコンテンツの制作が本格化した場合、現状のＨＤＲのマスター方式が変わる可能性がある。
【００３０】
［ＥＤＩＤとＩｎｆｏＦｒａｍｅとの関係］
図３は、ＨＤＭＩ（登録商標）上でのＥＤＩＤ（ＥＸＴＥＮＤＥＤ  ＤＩＳＰＬＡＹ  ＩＤＥＮＴＩＦＩＣＡＴＩＯＮ  ＤＡＴＡ）とＩｎｆｏＦｒａｍｅとの関係について説明するための図である。
【００３１】
（１．ＥＤＩＤ）
ＥＤＩＤとは、ＨＤＭＩ（登録商標）に準拠（対応）したＴＶ２００などのＳｙｎｃ機器（表示装置）の表示可能な映像のフォーマットを示す表示能力情報をＢｌｕ−ｒａｙ（登録商標）機器１００などのＳｏｕｒｃｅ機器（再生装置）に伝えるためのＲＯＭデータである。ＥＤＩＤは、通常２５６ｂｙｔｅからなるデータである。ＥＤＩＤは、具体的には、製造者名、製造年等表示可能なｖｉｄｅｏ  ｔｉｍｉｎｇ（１０８０ｉ／６０、７２０ｐ／６０、４８０ｐ等、表示可能なｖｉｄｅｏ  ｔｉｍｉｎｇ）、ＤｅｅｐＣｏｌｏｒサポートの有無、３Ｄサポートの有無を示す情報（表示能力情報）である。本実施の形態では、ＥＤＩＤには、さらに、ＨＤＲ（必須のＨＤＲ、オプション１のＨＤＲ、およびオプション２のＨＤＲ）それぞれのサポートの有無を示す情報（表示能力情報）が含まれる。
【００３２】
Ｂｌｕ−ｒａｙ（登録商標）機器１００は、ＨＤＭＩ（登録商標）を介してＴＶのＥＤＩＤを取得することで、自動的にＴＶが表示可能な再生信号を選択して出力できる。
【００３３】
（２．ＩｎｆｏＦｒａｍｅ）
ＩｎｆｏＦｒａｍｅとは、Ｂｌｕ−ｒａｙ（登録商標）機器１００が出力中の再生信号の属性を記述したパケットであり、ＴＶ２００のＢｌａｎｋｉｎｇ期間に伝送されるデータである。ＩｎｆｏＦｒａｍｅは、具体的には、ＡＶＩ＿ＩｎｆｏＦｒａｍｅ（Ｖｉｄｅｏ  ｔｉｍｉｎｇや、ＲＧＢ／ＹＣｂＣｒ、カラリメトリなどの情報）、Ａｕｄｉｏ  ＩｎｆｏＦｒａｍｅ  （Ａｕｄｉｏ情報を含む）、Ｖｅｎｄｏｒ  Ｓｐｅｃｉｆｉｃ  ＩｎｆｏＦｒａｍｅ（ＩＥＥＥ  ２４ｂｉｔ  ｃｏｄｅにより区分されたＶｅｎｄｏｒ規定情報。ＨＤＭＩ  Ｖ１．４ｂでは３Ｄ情報などを送るのに使用）などのデータを含む。
【００３４】
上記のことから、Ｂｌｕ−ｒａｙ（登録商標）機器１００は、（ｉ）輝度のダイナミックレンジが標準ダイナミックレンジ（ＳＤＲ）よりも広い高ダイナミックレンジ（ＨＤＲ）の映像を、ＴＶ２００が表示可能か否かを示す表示能力情報（識別情報）をＣＥＡ  Ｄａｔａ  Ｂｌｏｃｋに含むＥＤＩＤを、ＨＤＭＩ（登録商標）を介して前記表示装置から取得し、（ｉｉ）取得したＥＤＩＤに含まれる表示能力情報（識別情報）に応じて、出力する映像信号のダイナミックレンジを決定し、（ｉｉｉ）決定したダイナミックレンジに応じたメタデータを含むＩｎｆｏＦｒａｍｅを、ＨＤＭＩ（登録商標）を介してＴＶ２００に送信する処理部を備える。
【００３５】
また、ＴＶ２００は、（ｉ）輝度のダイナミックレンジがＨＤＲの映像を、ＴＶ２００が表示可能か否かを示す表示能力情報をＣＥＡ  Ｄａｔａ  Ｂｌｏｃｋに含むＥＤＩＤを、ＨＤＭＩ（登録商標）を介してＢｌｕ−ｒａｙ（登録商標）機器１００に送信し、（ｉｉ）送信したＥＤＩＤに含まれる表示能力情報に応じて決定された、出力する映像信号のダイナミックレンジに応じたメタデータを含むＩｎｆｏＦｒａｍｅを、ＨＤＭＩ（登録商標）を介してＢｌｕ−ｒａｙ（登録商標）機器１００から取得する、処理部を備える。
【００３６】
［ＨＤＭＩ（登録商標）データ構造の定義］
ＨＤＭＩ（登録商標）におけるＳｏｕｒｃｅ機器が出力する映像データの属性情報を格納する領域、あるいは、Ｓｉｎｋ機器の再生能力を示す情報を格納する領域内においてＨＤＲ関連のメタデータを格納するための領域を確保し、ＨＤＲ関連のメタデータを格納する。
【００３７】
（１．表示装置（ＥＤＩＤ）の場合）
図４は、ＥＤＩＤにおいて格納されているＨＤＲ関連のメタデータの一例について説明するための図である。
【００３８】
図４に示すように、ブロック１の「ＣＥＡ  Ｅｘｔｅｎｓｉｏｎ  ｆｏｒ  ＨＤＲ」の「ＣＥＡで規定する情報を格納するデータブロック（ＣＥＡ  Ｄａｔａ  Ｂｌｏｃｋ」にＨＤＲ関連のメタデータを格納するための領域を確保する。この領域において、ＨＤＲ関連のメタデータ（例えば４バイト）が格納される。
【００３９】
（２．Ｂｌｕ−ｒａｙ（登録商標）機器の場合）
図５は、ＩｎｆｏＦｒａｍｅにおいて格納されているＨＤＲ関連のメタデータの一例について説明するための図である。図６は、ＩｎｆｏＦｒａｍｅの具体的な構造の一例を示す図である。
【００４０】
Ｂｌｕ−ｒａｙ（登録商標）機器は、ＩｎｆｏＦｒａｍｅ（ＩＦ）をＨＤＲ関連のメタデータとして表示機器に伝送する。ＩｎｆｏＦｒａｍｅは、ｓｅｑｕｅｎｃｅ  ｎｕｍｂｅｒ領域と、データ領域とを含む。
【００４１】
ｓｅｑｕｅｎｃｅ  ｎｕｍｂｅｒは、静的なメタデータが定義されているか、必須の動的メタデータが定義されているか、オプション１またはオプション２の動的メタデータが定義されているかを示す識別情報である。つまり、ｓｅｑｕｅｎｃｅ  ｎｕｍｂｅｒフィールドを使用して、複数種類のＩＦパケットを定義することができる。
【００４２】
具体的には、図５の（ａ）に示すように、ｓｅｑｕｅｎｃｅ  ｎｕｍｂｅｒ＝０パケットの場合、ＩｎｆｏＦｒａｍｅには静的なメタデータが定義されていることを示す。つまり、第１のＩＦパケット（ＳＮ＝０）は、静的メタデータに使用される。
【００４３】
また、図５の（ｂ）〜（ｄ）に示すように、ｓｅｑｕｅｎｃｅ  ｎｕｍｂｅｒ＝１〜１００のパケットの場合、必須の動的メタデータ、オプション１およびオプション２の動的メタデータが定義されていることを示す。なお、これらの動的メタデータは、ＨＤＭＩ２．１において使用される。ＩＦパケット（ＳＮ≧１）を使用することにより、必須の動的メタデータ、２つのオプションの動的メタデータを定義できる。
【００４４】
図６に示すように、ｓｅｑｕｅｎｃｅ  ｎｕｍｂｅｒ（Ｓｅｑ＿ｎｕｍｂｅｒ）フィールドを使用することで、ペイロードの長さを２６×２５５バイトまで拡張できる。また、Ｓｅｑ＿ｎｕｍｂｅｒ＝０ｘ００を有するＩＦは、ＨＤＲの必要最小限の情報を含む。また、複数のｓｅｑｕｅｎｃｅ  ｎｕｍｂｅｒがフレーム周期で送信された場合、Ｓｅｑ＿ｎｕｍｂｅｒ＝０ｘ００を有するＩＦが最後になるように、Ｓｅｑ＿ｎｕｍｂｅｒは降順で並べられなければならない。
【００４５】
［静的メタデータの使用例］
図７は、静的メタデータの使用例について説明するための図である。
【００４６】
静的メタデータは、例えば、次のような情報を含む。具体的には、静的メタデータは、マスターディスプレーの色空間情報、ＥＯＴＦの種類（ＰＱ、ＢＢＣ４、ＢＢＣ８、その他）、Ｃｏｎｔｅｎｔ  Ｐｅａｋ  Ｌｕｍｉｎａｎｃｅ（コンテンツ内の輝度値の最大値）、Ｍａｘｉｍｕｍ  Ａｖｅｒａｇｅ  Ｌｕｍｉｎａｎｃｅ（コンテンツ内の輝度値の平均値）などを示す情報を含む。ここで、ＰＱのＥＯＴＦは、ＳＭＰＴＥのＳＴ２０８４として規格化されたものである。
【００４７】
ここで、Ｂｌｕ−ｒａｙ（登録商標）  ＤｉｓｃやＯＴＴ等のコンテンツ配信手段に格納されたＨＤＲコンテンツ内に、非常に明るいシーンが含まれている場合、視聴者に対し、事前に注意を促すことで、不適切なＨＤＲコンテンツを視聴することがないようにすることが必要である。
【００４８】
静的メタデータにおいて、コンテンツのＭａｘｉｍｕｍ  Ａｖｅｒａｇｅ  Ｌｕｍｉｎａｎｃｅの値が例えば３５０ｎｉｔを超えていた場合は、非常に明るいシーンを含んでいる映像であることが分かる。このため、このように非常に明るいシーンを含んでいる映像であることが判定された場合には、Ｂｌｕ−ｒａｙ（登録商標）機器側またはＴＶ側で、視聴者に注意を促す映像を生成し、表示させることができる。
【００４９】
また、Ｂｌｕ−ｒａｙ（登録商標）機器とＴＶとの両方で注意メッセージの表示を指示することを避けるために、ＴＶのＥＤＩＤに、注意メッセージの表示機能の有無を判別するフラグを記載できるようにしてもよい。そして、ＴＶのＥＤＩＤにこのフラグがあれば、Ｂｌｕ−ｒａｙ（登録商標）機器は、視聴者に注意メッセージの表示機能を停止させる制御を行うことで、Ｂｌｕ−ｒａｙ（登録商標）機器とＴＶとの両方で注意メッセージの表示を指示することを避けることができる。
【００５０】
［再生装置における処理の概要］
上述のように、２Ｋ＿ＳＤＲ対応ＴＶ及び４Ｋ＿ＳＤＲ対応ＴＶの各種ＢＤの表示をサポートするためには、ＨＤＲからＳＤＲへの変換と、４Ｋから２Ｋへのダウンコンバートが必要となる。また、ＨＤＭＩ（登録商標）及びＨＤＣＰの要求についても満たす必要がある。そこで、新型のＢｌｕ−ｒａｙ（登録商標）機器１００（再生装置）は、以下の処理を行う。図８は、Ｂｌｕ−ｒａｙ（登録商標）機器が行う処理の概要を説明するための図である。以下、図８の（ａ）〜（ｄ）について説明する。
【００５１】
（ａ）Ｂｌｕ−ｒａｙ（登録商標）機器１００は、４Ｋ＿ＨＤＲの映像信号（ＨＤＲストリーム）を４Ｋ＿ＳＤＲの映像信号に変換し、４Ｋ＿ＳＤＲの映像信号を、ＨＤＭＩ２．ｘ及びＨＤＣＰ２．２を用いて４Ｋ＿ＳＤＲ対応ＴＶに送信する。なお、ＨＤＭＩ２．ｘは、ＨＤＲの静的メタデータに対応したＨＤＭＩ２．０以降のバージョンを示す。
【００５２】
（ｂ）Ｂｌｕ−ｒａｙ（登録商標）機器１００は、２Ｋ＿ＨＤＲの映像信号を２Ｋ＿ＳＤＲの映像信号に変換し、２Ｋ＿ＳＤＲの映像信号を、少なくともＨＤＭＩ１．４及びＨＤＣＰ１．４を用いて２Ｋ＿ＳＤＲ対応ＴＶまたは４Ｋ＿ＳＤＲ対応ＴＶに送信する。
【００５３】
（ｃ）Ｂｌｕ−ｒａｙ（登録商標）機器１００は、４Ｋ＿ＨＤＲの映像信号を４Ｋ＿ＳＤＲの映像信号に変換し、かつ、４Ｋ＿ＳＤＲの映像信号を２Ｋ＿ＳＤＲの映像信号にダウンコンバートする。Ｂｌｕ−ｒａｙ（登録商標）機器１００は、２Ｋ＿ＳＤＲの映像信号を、少なくともＨＤＭＩ１．４及びＨＤＣＰ１．４を用いて２Ｋ＿ＳＤＲ対応ＴＶに送信する。
【００５４】
（ｄ）Ｂｌｕ−ｒａｙ（登録商標）機器１００は、４Ｋ＿ＳＤＲの映像信号を２Ｋ＿ＳＤＲの映像信号に変換し、２Ｋ＿ＳＤＲの映像信号を、少なくともＨＤＭＩ１．４及びＨＤＣＰ１．４を用いて２Ｋ＿ＳＤＲ対応ＴＶに送信する。
【００５５】
現在のＨＤＴＶ（ＨＤＭＩ１．４＆ＨＤＣＰ１．４）をサポートするために、上記ケース（ｂ）、（ｃ）および（ｄ）を許可するための新しい伝送方法を追加する必要がある。新しい伝送方法としては、例えば、図９に示すように、ケース１〜４が考えられる。図９は、再生装置から表示装置への映像信号の新しい伝送方法について説明するための図である。
【００５６】
（ケース１）ＵＨＤからＨＤにダウンコンバートされ、かつ、ＨＤＲからＳＤＲに変換された映像信号は、ＨＤの映像信号として、ＨＤＣＰ１．４以降に対応したＴＶなどの表示装置に伝送できる。
【００５７】
（ケース２）ＨＤＲからＳＤＲに変換された映像信号は、ＨＤの映像信号として、ＨＤＣＰ１．４以降に対応したＴＶなどの表示装置に伝送できる。
【００５８】
（ケース３）ＵＨＤ（ＳＤＲ）からＨＤにダウンコンバートされた映像信号は、ＨＤの映像信号として、ＨＤＣＰ１．４以降に対応したＴＶなどの表示装置に伝送できる。
【００５９】
（ケース４）ＨＤ／ＳＤＲのＨＥＶＣの１０ビット（ｂｔ．２０２０＆ｂｔ．７０９）の映像信号（ＡＡＣＳ２．０で保護）は、ＨＤの映像信号として、ＨＤＣＰ１．４以降に対応したＴＶなどの表示装置に伝送できる。
【００６０】
なお、上記ケース１〜４に当てはまらない場合、これらの映像信号は、ＨＤＣＰ２．２以降に対応したＴＶなどの表示装置に伝送する必要があり、ＨＤＣＰのタイプ１のコンテンツとしてみなされる。
【００６１】
図１０は、複数のＥＯＴＦを選択可能なＨＤＲシステムの構成を示す図である。
【００６２】
Ｂｌｕ−ｒａｙ（登録商標）機器およびＨＤＲ対応ＴＶは、Ｂｌｕ−ｒａｙ（登録商標）  Ｄｉｓｃに含まれるコンテンツがＳＤＲ、ＨＤＲ（ＰＱ）、ＨＤＲ（ＢＢＣ）のコンテンツであるかを判別し、判別したコンテンツが対応するダイナミックレンジに応じて動作を変更する。
【００６３】
例えば、Ｂｌｕ−ｒａｙ（登録商標）機器は、ＨＤＲ表示可能なＴＶに再生信号を出力する（つまり、ＨＤＭＩ（登録商標）で接続されている）場合、そのまま、再生信号を出力する。接続されているＴＶがＳＤＲＴＶ（ＨＤＲの映像表示に非対応であり、かつ、ＳＤＲの映像表示に対応したＴＶ）の場合、Ｂｌｕ−ｒａｙ（登録商標）機器は、コンテンツがＨＤＲ（ＰＱ）の場合のみＨＤＲからＳＤＲへの変換（変換後の最大輝度を自動、若しくは手動で選択）を行うことで得られた再生信号をＳＤＲＴＶに出力し、コンテンツがＨＤＲ（ＰＱ）以外の場合には変換せずに再生信号をそのままＳＤＲＴＶに出力する。
【００６４】
なお、ＨＤＲからＳＤＲへの変換において、Ｂｌｕ−ｒａｙ（登録商標）機器に接続されているＳＤＲＴＶの表示可能な映像の種類を示す属性情報（表示能力情報）をＢｌｕ−ｒａｙ（登録商標）機器が取得している場合は、当該属性情報に応じてＳＤＲＴＶが表示可能な再生信号に変換する。ＴＶの表示可能な映像の種類が解らない場合は、ユーザの指定により、変換の種類（ＨＤＲ効果、弱・中・強等）を変えてもよい。つまり、ＳＤＲＴＶの最大輝度が高い場合は、ＨＤＲ効果を強くして変換しても良い。なお、最大輝度が低い場合は、強くすると表示される映像が暗くなって、逆にＨＤＲ効果を楽しむことができないため、ユーザが変換の強度を適切に指定することが重要になる。
【００６５】
また、ＴＶは、それぞれ入力されたコンテンツの再生信号に応じて、コンテンツの輝度値とパネルの表示輝度のマッピング（ＨＤＲ  Ｃｏｌｏｒ  Ｍａｐｐｉｎｇ）を行った上で表示する。
【００６６】
図１１は、Ｂｌｕ−ｒａｙ（登録商標）機器が行う処理の概要の他の一例を説明するための図である。図１１は、図８の構成に、さらに、Ｂｌｕ−ｒａｙ（登録商標）  Ｄｉｓｃに記録されている映像ストリームの種別にハイブリッド型ストリームを含めた場合を説明するための図である。
【００６７】
ＨＤＲの種類の一つであるハイブリッド型のＯＥＴＦ（例えばＢＢＣ  ＯＥＴＦ）を用いて量子化されることにより得られた映像ストリームは、ＳＤＲＴＶとの互換性を維持できるハイブリッド型の映像ストリームである。このため、ＳＤＲ信号と同じ扱いをすることで、既存ＴＶとの互換性を維持できる。
【００６８】
図１１のように、ハイブリッド型ストリームがＢｌｕ−ｒａｙ（登録商標）  Ｄｉｓｃに記録されている場合、新しい伝送方法としては、例えば、図１２に示すように、ケース１〜６が考えられる。図１２は、ハイブリッド型ストリームがＢｌｕ−ｒａｙ（登録商標）  Ｄｉｓｃにさらに記録されている場合の、再生装置から表示装置への映像信号の新しい伝送方法について説明するための図である。
【００６９】
（ケース１）ＵＨＤからＨＤにダウンコンバートされ、かつ、ＨＤＲからＳＤＲに変換されたＵＨＤ／ＨＤＲ（ＰＱ）の映像信号は、ＨＤの映像信号として、ＨＤＣＰ１．４以降に対応したＴＶなどの表示装置に伝送できる。
【００７０】
（ケース２）ＵＨＤ／ＨＤＲ（ハイブリッド型のＥＯＴＦ）（ｂｔ．２０２０およびｂｔ．７０９）からＨＤにダウンコンバートされた映像信号は、ＨＤの映像信号として、ＨＤＣＰ１．４以降に対応したＴＶなどの表示装置に伝送できる。
【００７１】
（ケース３）ＵＨＤ（ｂｔ．２０２０およびｂｔ．７０９）からＨＤにダウンコンバートされた映像信号は、ＨＤの映像信号として、ＨＤＣＰ１．４以降に対応したＴＶなどの表示装置に伝送できる。
【００７２】
（ケース４）ＨＤＲからＳＤＲに変換されたＨＤ／ＨＤＲ（ＰＱ）の映像信号は、ＨＤの映像信号として、ＨＤＣＰ１．４以降に対応したＴＶなどの表示装置に伝送できる。
【００７３】
（ケース５）ＨＤ／ＨＤＲ（ハイブリッド型のＥＯＴＦ）（ｂｔ．２０２０およびｂｔ．７０９）の映像信号は、ＨＤＣＰ１．４以降に対応したＴＶなどの表示装置に伝送できる。
【００７４】
（ケース６）ＨＤ／ＳＤＲのＨＥＶＣの１０ビット（ｂｔ．２０２０＆ｂｔ．７０９）の映像信号は、ＨＤＣＰ１．４以降に対応したＴＶなどの表示装置に伝送できる。
【００７５】
なお、上記ケース１〜６に当てはまらない場合、これらの映像信号は、ＨＤＣＰ２．２以降に対応したＴＶなどの表示装置に伝送する必要があり、ＨＤＣＰのタイプ１のコンテンツとしてみなされる。
【００７６】
このように、Ｂｌｕ−ｒａｙ（登録商標）  ＤｉｓｃやＯＴＴ等のコンテンツ配信手段が、ＥＯＴＦが互いに異なるＨＤＲコンテンツの映像ストリームを格納しており、かつ、一つの映像ストリームがＳＤＲと互換性を有するハイブリッド型ストリームである場合、ＳＤＲコンテンツと同様なＨＤＣＰ処理を行うことで、ＳＤＲＴＶとの相互運用性を向上できる。
【００７７】
次に、ハイブリッド型のＥＯＴＦの概要について図１３〜図１６を用いて説明する。
【００７８】
図１３は、ハイブリッド型のＯＥＴＦおよびハイブリッド型のＥＯＴＦの概要について説明するための図である。図１４は、各ＯＥＴＦについて比較するための図である。図１５は、図１４の暗部領域（低輝度領域）を拡大した図である。
【００７９】
まず、ＥＯＴＦについて説明する。ＥＯＴＦは、一般的にガンマカーブと呼ばれるものであり、輝度値とコード値との対応を示し、輝度値を量子化してコード値に変換するものである。つまり、ＥＯＴＦは、輝度値と複数のコード値との対応関係を示す関係情報である。例えば、ＳＤＲに対応した映像の輝度値を１０ビットの階調のコード値で表現する場合、１００ｎｉｔまでの輝度範囲における輝度値は、量子化されて、０−１０２３の１０２４個の整数値にマッピングされる。つまり、ＥＯＴＦに基づいて量子化することで、１００ｎｉｔまでの輝度範囲の輝度値（ＳＤＲに対応した映像の輝度値）を、１０ビットのコード値であるＳＤＲ信号に変換する。ＨＤＲに対応したＥＯＴＦ（以下、「ＨＤＲのＥＯＴＦ」という。」）においては、ＳＤＲに対応したＥＯＴＦ（以下、「ＳＤＲのＥＯＴＦ」という。）よりも高い輝度値を表現することが可能であり、例えば図１３においては、輝度の最大値（ピーク輝度）は１０００ｎｉｔｓである。つまり、ＨＤＲの輝度範囲は、ＳＤＲの輝度範囲を全て含み、ＨＤＲのピーク輝度は、ＳＤＲのピーク輝度より大きい。ＨＤＲの輝度範囲は、ＳＤＲの輝度範囲の最大値である例えば１００ｎｉｔから、１０００ｎｉｔまで、最大値を拡大した輝度範囲である。また、ＨＤＲ信号についても、例えば１０ビットの階調で表現される。
【００８０】
ＯＥＴＦは、ＥＯＴＦの逆関数である。つまり、ＥＯＴＦの反対の関係を用いれば、ＯＥＴＦを用いたことになるため、以下では、ＯＥＴＦを用いて映像の輝度値を量子化することを、同様の意味で、ＥＯＴＦを用いて映像の輝度値を量子化するとも言う。
【００８１】
グレーディング後の映像は、図１３の（ａ）に示すＯＥＴＦにより量子化され、当該画像の輝度値に対応するコード値が決定される。このコード値に基づいて画像符号化などが行われ、エレメンタリ・ストリームが生成される。また、再生時には、エレメンタリ・ストリームの復号結果に対して、図１３の（ｂ）に示すＥＯＴＦに基づいて逆量子化することにより、画素毎の輝度値が復元される。なお、図１３の場合、ＳＤＲストリームの生成には、ＢＴ．１８８６のＯＥＴＦが用いられることにより量子化され、ＳＤＲストリームの再生には、ＢＴ．１８８６のＥＯＴＦが用いられることにより輝度値が復元される。また、ＨＤＲストリームの生成には、ハイブリッド型のＯＥＴＦが用いられることにより量子化され、ＨＤＲストリームの再生には、ハイブリッド型のＥＯＴＦが用いられることにより輝度値が復元される。なお、図１３の場合には、ＨＤＲストリームの生成および再生には、それぞれハイブリッド型のＯＥＴＦおよびハイブリッド型のＥＯＴＦが用いられたが、ＰＱのＯＥＴＦおよびＰＱのＥＯＴＦを用いてもよい。
【００８２】
ハイブリッド型のＥＯＴＦは、例えば、ＢＢＣ（Ｂｒｉｔｉｓｈ  Ｂｒｏａｄｃａｓｔｉｎｇ  Ｃｏｒｐｏｒａｔｉｏｎ：英国放送協会）がＩＴＵ−Ｒに提案している、ＳＤＲＴＶに互換性があるＨＤＲのＥＯＴＦである。ＳＤＲＴＶに互換性があるＨＤＲのＥＯＴＦとは、ＨＤＲＴＶ（ＨＤＲの映像表示に対応したＴＶ）で表示させたときは、ＨＤＲの輝度範囲における映像の輝度値を復元でき、かつ、ＳＤＲＴＶで表示させたときは、ＳＤＲの輝度範囲における映像の輝度値を復元できるＥＯＴＦである。
【００８３】
具体的には、ハイブリッド型のＥＯＴＦの逆関数であるハイブリッド型のＯＥＴＦでは、暗部領域（低輝度領域）は、ＢＴ．１８８６と同じ特性によって量子化され、高輝度部分（領域）は、粗い量子化のステップサイズで量子化される。そして、ＳＤＲＴＶでは、高いコード値をＢＴ．１８８６のコード値として逆量子化する。つまり、ハイブリッド型のＨＤＲストリームは、ＳＤＲＴＶにおいて表示されるときに、高輝度領域が自動的にＳＤＲ信号の輝度範囲にリマップされることになる。
【００８４】
ハイブリッド型のＯＥＴＦは、図１３に示すように、５０ｎｉｔよりも輝度値が小さい暗部領域（低輝度領域）において、ＢＴ．１８８６のＯＥＴＦ（ＳＤＲのＯＥＴＦ）と同じカーブを有している。つまり、ハイブリッド型のＯＥＴＦとＳＤＲのＯＥＴＦとは、暗部領域において、輝度値とコード値との関係が略等しい。例えば、ハイブリッド型のＯＥＴＦは、次の式１のように示される。これは、例えば、下記の文献「Ｗｈｉｔｅ  ｐａｐｅｒ  ｏｆ  ＢＢＣ’ｓ  ＥＯＴＦ  （ｈｔｔｐ：／／ｗｗｗ．ｂｂｃ．ｃｏ．ｕｋ／ｒｄ／ｐｕｂｌｉｃａｔｉｏｎｓ／ｗｈｉｔｅｐａｐｅｒ２８３）」に記載されている。
【００８５】
【数１】
2017220690.tif 000003
【００８６】
なお、式１は、Ｖが０からξまでの範囲では、ＢＴ．１８８６のＯＥＴＦと同じ関係式になることを示している。
【００８７】
ここで、図１４および図１５を参照し、ＰＱのＯＥＴＦとハイブリッド型のＯＥＴＦとを比較する。図１４および図１５には、ＳＤＲのＯＥＴＦとしてＢＴ．１８８６のＯＥＴＦが実線で表され、ハイブリッド型のＯＥＴＦとしてＢＢＣのＯＥＴＦのＬｍａｘ４が一点鎖線、ＢＢＣのＯＥＴＦのＬｍａｘ８が長い破線、ＰＱのＯＥＴＦが短い破線でそれぞれ表されている。なお、ＢＢＣのＯＥＴＦのＬｍａｘ４およびＬｍａｘ８は、互いにピーク輝度が異なる曲線であることが異なり、暗部領域においてＢＴ．１８８６のＯＥＴＦと同じカーブを有する点は同じである。
【００８８】
図１４に示すように、ピーク輝度が１０００〜１２００ｎｉｔの場合は、ＰＱのＯＥＴＦは、コード値（ＣＶ（Ｃｏｄｅ  Ｖａｌｕｅ））が７５０以上の領域を使用することはできない。しかし、ＢＢＣのＯＥＴＦは、Ｌｍａｘ４およびＬｍａｘ８ともに、全てのコード値を使用することができる。つまり、ハイブリッド型のＯＥＴＦは、輝度範囲が０〜１０００ｎｉｔの範囲では、よりよい画質を実現できる。
【００８９】
また、図１５に示すように、コード値が４００未満の領域では、ＢＴ．１８８６のＯＥＴＦと、ＢＢＣのＯＥＴＦのＬｍａｘ４およびＬｍａｘ８とは、ほとんど同じコード値である。つまり、ハイブリッド型のＯＥＴＦは、ＳＤＲＴＶ使用時であっても、低輝度領域における画質を維持できる。
【００９０】
図１６Ａは、ＰＱのＯＥＴＦを用いて輝度値が量子化されたＨＤＲストリームをＨＤＲＴＶおよびＳＤＲＴＶに送信／配信する場合を説明するための図である。図１６Ｂは、ハイブリッド型のＯＥＴＦを用いて輝度値が量子化されたＨＤＲストリームをＨＤＲＴＶおよびＳＤＲＴＶに送信／配信する場合を説明するための図である。
【００９１】
図１６Ａに示すように、ＨＤＲストリームの生成にＰＱのＯＥＴＦを用いた場合には、ＢＤの再生時に、ユーザは、ＴＶの種類（つまり、ＳＤＲＴＶかＨＤＲＴＶか）に応じてＳＤＲディスクまたはＨＤＲディスクを選択する必要がある。一方で、図１６Ｂに示すように、ＨＤＲストリームの生成にハイブリッド型のＯＥＴＦを用いた場合には、ユーザは、ＴＶの種類（つまり、ＳＤＲＴＶかＨＤＲＴＶか）を知る必要はなく、単にハイブリッド型のＯＥＴＦにより生成されたＨＤＲストリーム（ハイブリッド型ストリーム）が記録されているＨＤＲディスクを再生に使えばよい。
【００９２】
同様に、映像ストリームのネット配信を行う、いわゆるＯＴＴサービスでは、ハイブリッド型のＯＥＴＦを用いて量子化されたハイブリッド型ストリームを配信することは、ユーザの混乱を回避できる。
【００９３】
図１７は、ＳＤＲＴＶへの出力を許可するフラグに応じた処理について説明するための図である。
【００９４】
Ｂｌｕ−ｒａｙ（登録商標）  Ｄｉｓｃなどにおいて格納されるＨＤＲコンテンツの静的メタデータには、ＥＯＴＦの種類（ＰＱ、ＢＢＣ４、ＢＢＣ８、その他）として、ＳＤＲＴＶ出力許可フラグ（レガシーＨＤＴＶ（ＨＤＣＰ１．４）出力許可フラグ）が含まれていてもよい。このように、静的メタデータ内にＳＤＲＴＶ出力許可フラグを含めることにより、コンテンツプロバイダがＳＤＲＴＶ２００ａへの出力方法を指定できる。図１７に示すように、ＳＤＲＴＶ出力許可フラグが許可を示している場合、Ｂｌｕ−ｒａｙ（登録商標）機器１００は、ＳＤＲＴＶ２００ａ（ＨＤＣＰ１．４のレガシーＴＶ）へもＨＤＲ信号を出力することができる。ＳＤＲＴＶ出力許可フラグが不許可を示している場合、Ｂｌｕ−ｒａｙ（登録商標）機器１００は、ＳＤＲ信号に変換してからＳＤＲ信号をＳＤＲＴＶ２００ａに伝送する。
【００９５】
図１１のように、ハイブリッド型ストリームがＢｌｕ−ｒａｙ（登録商標）  Ｄｉｓｃに記録されている場合であって、図１７に示したように静的メタデータにＳＤＲＴＶ出力許可フラグが含まれている場合、新しい伝送方法としては、例えば、図１８に示すように、ケース１〜６が考えられる。図１８は、ハイブリッド型ストリームがＢｌｕ−ｒａｙ（登録商標）  Ｄｉｓｃにさらに記録されている場合であって、静的メタデータにＳＤＲＴＶ出力許可フラグが含まれている場合の、再生装置から表示装置への映像信号の新しい伝送方法について説明するための図である。
【００９６】
（ケース１）ＵＨＤからＨＤにダウンコンバートされ、かつ、ＨＤＲからＳＤＲに変換されたＵＨＤ／ＨＤＲ（Ｆｌａｇ＝ＯＦＦ）の映像信号は、ＨＤの映像信号として、ＨＤＣＰ１．４以降に対応したＴＶなどの表示装置に伝送できる。
【００９７】
（ケース２）ＵＨＤ／ＨＤＲ（Ｆｌａｇ＝ＯＮ）（ｂｔ．２０２０およびｂｔ．７０９）からＨＤにダウンコンバートされた映像信号は、ＨＤの映像信号として、ＨＤＣＰ１．４以降に対応したＴＶなどの表示装置に伝送できる。
【００９８】
（ケース３）ＵＨＤ（ｂｔ．２０２０およびｂｔ．７０９）からＨＤにダウンコンバートされた映像信号は、ＨＤの映像信号として、ＨＤＣＰ１．４以降に対応したＴＶなどの表示装置に伝送できる。
【００９９】
（ケース４）ＨＤＲからＳＤＲに変換されたＨＤ／ＨＤＲ（Ｆｌａｇ＝ＯＦＦ）の映像信号は、ＨＤの映像信号として、ＨＤＣＰ１．４以降に対応したＴＶなどの表示装置に伝送できる。
【０１００】
（ケース５）ＨＤ／ＨＤＲ（Ｆｌａｇ＝ＯＮ）（ｂｔ．２０２０およびｂｔ．７０９）の映像信号は、ＨＤＣＰ１．４以降に対応したＴＶなどの表示装置に伝送できる。
【０１０１】
（ケース６）ＨＤ／ＳＤＲのＨＥＶＣの１０ビット（ｂｔ．２０２０＆ｂｔ．７０９）の映像信号は、ＨＤＣＰ１．４以降に対応したＴＶなどの表示装置に伝送できる。
【０１０２】
なお、上記ケース１〜６に当てはまらない場合、これらの映像信号は、ＨＤＣＰ２．２以降に対応したＴＶなどの表示装置に伝送する必要があり、ＨＤＣＰのタイプ１のコンテンツとしてみなされる。
【０１０３】
このように、静的メタデータがＳＤＲＴＶ出力許可フラグを含むことにより、コンテンツプロバイダがＳＤＲＴＶへの出力方法を指定させることができる。ＳＤＲＴＶ出力許可フラグがＳＤＲＴＶへの出力を許可していることを示している場合は、ＨＤＣＰ１．４のレガシーＴＶへもＨＤＲ信号を流すことができ、不許可を示している場合は、ＳＤＲ信号に変換してからＳＤＲＴＶに伝送させることができる。
【０１０４】
（コンテンツ制作者の要求）
Ｂｌｕ−ｒａｙ（登録商標）  ＤｉｓｃにおけるＰＱのＥＯＴＦのＨＤＲコンテンツはそのまま、ＨＤＲ表示可能なＴＶ（ＰＱのＥＯＴＦ表示可能）に伝送されなければならない。これは、ＰＱのＥＯＴＦ表示可能なＨＤＲＴＶのユーザがユーザのＨＤＲＴＶでＰＱのＥＯＴＦのＨＤＲコンテンツを見なければならないことを意味する。
【０１０５】
具体的には、次に示すように、ケース１〜４が考えられる。
【０１０６】
（ケース１）ＨＤＲＴＶ（ＰＱのＥＯＴＦおよびハイブリッド型のＥＯＴＦの両方を表示可能なＴＶ）に伝送する場合
Ｂｌｕ−ｒａｙ（登録商標）機器は、ブルーレイディスクにおけるＰＱのＨＤＲコンテンツを、ＨＤＲＴＶにそのまま伝送しなければならない。また、Ｂｌｕ−ｒａｙ（登録商標）機器は、ＰＱのＨＤＲコンテンツをＨＤＲＴＶに伝送する前に、ＰＱのＨＤＲコンテンツをハイブリッド型のＨＤＲコンテンツにもＳＤＲコンテンツにも変換してはならない。
【０１０７】
（ケース２）ＨＤＲＴＶ（ＰＱのＥＯＴＦのみ表示可能なＴＶ）に伝送する場合
Ｂｌｕ−ｒａｙ（登録商標）機器は、ブルーレイディスクにおけるＰＱのＨＤＲコンテンツを、ＨＤＲＴＶにそのまま伝送しなければならない。Ｂｌｕ−ｒａｙ（登録商標）機器は、ＰＱのＨＤＲコンテンツをＨＤＲＴＶに伝送する前に、ＰＱのＨＤＲコンテンツをＳＤＲコンテンツに変換してはならない。
【０１０８】
（ケース３）ＳＤＲＴＶ（ＰＱのＥＯＴＦ非対応なＴＶ）に伝送する場合
Ｂｌｕ−ｒａｙ（登録商標）機器は、ブルーレイディスクにおけるＰＱのＨＤＲコンテンツをＨＤＲＴＶにそのまま伝送してはならない。Ｂｌｕ−ｒａｙ（登録商標）機器は、自身のＨＤＲからＳＤＲへの変換機能を用いてＰＱのＨＤＲコンテンツをＳＤＲコンテンツに変換し、変換することで得られたＳＤＲコンテンツをＳＤＲＴＶに伝送しなければならない。
【０１０９】
（ケース４）ＳＤＲＴＶ（ハイブリッド型のＥＯＴＦのみ表示可能なＴＶ）に伝送する場合
Ｂｌｕ−ｒａｙ（登録商標）機器は、ブルーレイディスクにおけるＰＱのＨＤＲコンテンツをＨＤＲＴＶにそのまま伝送してはならない。Ｂｌｕ−ｒａｙ（登録商標）機器は、ＰＱのＨＤＲコンテンツをＨＤＲＴＶに伝送する前に、ＰＱのＨＤＲコンテンツをハイブリッド型のＨＤＲコンテンツに変換してはならない。Ｂｌｕ−ｒａｙ（登録商標）機器は、自身のＨＤＲからＳＤＲへの変換機能を用いてＰＱのＨＤＲコンテンツをＳＤＲコンテンツに変換し、変換することで得られたＳＤＲのコンテンツをＳＤＲＴＶに伝送しなければならない。
【０１１０】
（再生装置）
再生装置は、ＨＤＲからＳＤＲへの変換をサポートしなければならない。
【０１１１】
また、再生装置は、再生装置がＨＤＲディスプレイに接続されているか否かをＨＤＭＶまたはＪａｖａ（登録商標）アプリケーションに示すためのＰＳＲおよびＢＤ−Ｊシステムプロパティを提供しなければならない。
【０１１２】
（コンテンツ）
コンテンツは、再生に適切なストリーム（ＨＤＲまたはＳＤＲ）を選択できるようにする。
【０１１３】
コンテンツは、要求があればメッセージを提供できるようにする。
【０１１４】
コンテンツは、ＳＤＲディスプレイに再生装置が接続されているときであって、ＨＤＲストリームを再生している場合に、メッセージが提供されたかを再生装置に示すことができるようにする。
【０１１５】
図１９は、図９で示したケース１〜３の場合において、ＨＤＲストリームが含まれるＢｌｕ−ｒａｙ（登録商標）  Ｄｉｓｃに警告メッセージが含まれる場合の伝送方法について説明するための図である。
【０１１６】
（ケース１）ＵＨＤからＨＤにダウンコンバートされ、かつ、ＨＤＲからＳＤＲに変換された映像信号は、ＨＤの映像信号として、ＨＤＣＰ１．４以降に対応したＴＶなどの表示装置に伝送できる。この場合、ＨＤＣＰ１．４以降に対応したＴＶに警告メッセージを表示してもよい。
【０１１７】
（ケース２）ＨＤＲからＳＤＲに変換された映像信号は、ＨＤの映像信号として、ＨＤＣＰ１．４以降に対応したＴＶなどの表示装置に伝送できる。この場合、ＨＤＣＰ１．４以降に対応したＴＶに警告メッセージを表示してもよい。
【０１１８】
（ケース３）ＵＨＤ（ＳＤＲ）からＨＤにダウンコンバートされた映像信号は、ＨＤの映像信号として、ＨＤＣＰ１．４以降に対応したＴＶなどの表示装置に伝送できる。
【０１１９】
なお、上記各実施の形態において、各構成要素は、専用のハードウェアで構成されるか、各構成要素に適したソフトウェアプログラムを実行することによって実現されてもよい。各構成要素は、ＣＰＵまたはプロセッサなどのプログラム実行部が、ハードディスクまたは半導体メモリなどの記録媒体に記録されたソフトウェアプログラムを読み出して実行することによって実現されてもよい。
【０１２０】
以上、本発明の一つまたは複数の態様に係る表示方法および表示装置について、実施の形態に基づいて説明したが、本発明は、この実施の形態に限定されるものではない。本発明の趣旨を逸脱しない限り、当業者が思いつく各種変形を本実施の形態に施したもの、異なる実施の形態における構成要素を組み合わせて構築される形態なども、本発明の一つまたは複数の態様の範囲内に含まれてもよい。
【産業上の利用可能性】
【０１２１】
本開示は、表示装置に適切な映像を容易に出力させることができる再生装置などとして有用である。
【符号の説明】
【０１２２】
１００  Ｂｌｕ−ｒａｙ（登録商標）機器
２００  ＴＶ
２００ａ  ＳＤＲＴＶ
【図１】
2017220690.tif 000004
【図２】
2017220690.tif 000005
【図３】
2017220690.tif 000006
【図４】
2017220690.tif 000007
【図５】
2017220690.tif 000008
【図６】
2017220690.tif 000009
【図７】
2017220690.tif 000010
【図８】
2017220690.tif 000011
【図９】
2017220690.tif 000012
【図１０】
2017220690.tif 000013
【図１１】
2017220690.tif 000014
【図１２】
2017220690.tif 000015
【図１３】
2017220690.tif 000016
【図１４】
2017220690.tif 000017
【図１５】
2017220690.tif 000018
【図１６Ａ】
2017220690.tif 000019
【図１６Ｂ】
2017220690.tif 000020
【図１７】
2017220690.tif 000021
【図１８】
2017220690.tif 000022
【図１９】
2017220690.tif 000023